【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
印刷データと当該印刷データの個別印刷を許可するユーザの情報とを紐付けて管理する管理手段と、
前記ユーザから個別印刷要求を受け付けると、前記管理手段で当該ユーザと紐付けて管理されている印刷データであって、前記ユーザから個別印刷要求を受け付けた印刷データの印刷ジョブを生成する生成手段と、
前記生成手段により前記印刷ジョブを生成した後に、前記個別印刷要求を行ったユーザを、当該ユーザが個別印刷要求を行った印刷データの印刷済みユーザとして記憶する記憶手段と、
印刷データの一括印刷要求を受け付けると、前記管理手段で管理されている当該一括印刷要求を受け付けた印刷データの個別印刷を許可するユーザの情報と、前記記憶手段に記憶されている当該一括印刷要求を受け付けた印刷データの印刷済みユーザの情報とに従って、一括印刷時の前記印刷データの印刷部数を決定する決定手段と
を備え、
前記生成手段は、一括印刷要求を受け付けた前記印刷データを、前記決定手段で決定した印刷部数分印刷するための印刷ジョブを生成することを特徴とする情報処理装置。
【請求項２】
前記生成手段で生成した印刷ジョブを印刷装置に対して送信する送信手段と、
前記個別印刷要求に従って生成した印刷ジョブを、前記送信手段により印刷管理装置に対して送信する前に、前記個別印刷要求を受け付けた印刷データと同一の印刷データの一括印刷要求に従って生成した印刷ジョブを、前記送信手段により送信した場合に、前記個別印刷要求に従って生成した印刷ジョブを削除する削除手段と
を更に備えることを特徴とする請求項1に記載の情報処理装置。
【請求項３】
前記送信手段により一括印刷要求を受け付けた印刷データの印刷ジョブを印刷装置に対して送信した場合に、前記生成手段は、前記管理手段で管理されている当該印刷データの個別印刷を許可するユーザから、当該印刷データの個別印刷要求がなされても当該印刷データの印刷ジョブを生成しないこと
を特徴とする請求項２に記載の情報処理装置。
【請求項４】
前記決定手段は、前記印刷データの個別印刷を許可するユーザの情報によって特定される前記印刷データを印刷すべき部数から、前記記憶手段で記憶されている当該印刷データを印刷済みユーザの情報によって特定される当該印刷データの印刷済み部数を除いた部数を、当該印刷データの印刷部数として決定することを特徴とする請求項１乃至３のいずれか１項に記載の情報処理装置。
【請求項５】
前記印刷データは、会議で使用する会議資料であり、前記印刷データの個別印刷を許可するユーザの情報とは、前記会議に参加するユーザの情報であることを特徴とする請求項１乃至４のいずれか１項に記載の情報処理装置。
【請求項６】
会議に参加するユーザから当該会議の参加可否情報を受け付ける参加可否情報受付手段を更に備え、
前記記憶手段は、前記参加可否情報受付手段で受け付けた前記参加可否情報を記憶し、
前記決定手段は、会議資料の一括印刷要求を受け付けると、前記管理手段で管理されている当該会議資料の一括印刷要求を受け付けた会議に参加するユーザの情報と、前記記憶手段に記憶されている前記会議に参加するユーザからの当該会議の参加可否情報と、前記記憶手段に記憶されている当該会議資料を印刷済みユーザの情報とに従って、前記会議資料の印刷部数を決定すること
を特徴する請求項５に記載の情報処理装置。
【請求項７】
印刷データと当該印刷データの個別印刷を許可するユーザの情報とを紐付けて管理する管理手段を備える情報処理装置によって行われる情報処理方法であって、
前記情報処理装置の生成手段が、前記ユーザから個別印刷要求を受け付けると、前記管理手段で当該ユーザと紐付けて管理されている印刷データであって、前記ユーザから個別印刷要求を受け付けた印刷データの印刷ジョブを生成する生成工程と、
前記情報処理装置の記憶手段が、前記生成工程により前記印刷ジョブを生成した後に、前記個別印刷要求を行ったユーザを、当該ユーザが個別印刷要求を行った印刷データの印刷済みユーザとして記憶する記憶工程と、
前記情報処理装置の決定手段が、印刷データの一括印刷要求を受け付けると、前記管理手段で管理されている当該一括印刷要求を受け付けた印刷データの個別印刷を許可するユーザの情報と、前記記憶工程で記憶されている当該一括印刷要求を受け付けた印刷データの印刷済みユーザの情報とに従って、一括印刷時の前記印刷データの印刷部数を決定する決定工程と
を備え、
前記生成工程は、一括印刷要求を受け付けた前記印刷データを、前記決定工程で決定した印刷部数分印刷するための印刷ジョブを生成することを特徴とする情報処理方法。
【請求項８】
コンピュータを、請求項１乃至６のいずれか１項に記載の情報処理装置の各手段として機能させるためのコンピュータプログラム。
【手続補正２】
【補正対象書類名】明細書
【補正対象項目名】０００１
【補正方法】変更
【補正の内容】
【０００１】
本発明は、情報処理装置、情報処理方法、及びコンピュータプログラムに関し、特に、印刷データの個別印刷を許可するユーザの印刷データの印刷状況を的確に管理し、無駄の少ない印刷データの印刷を行うことが可能な仕組みに関する。
【手続補正３】
【補正対象書類名】明細書
【補正対象項目名】０００７
【補正方法】変更
【補正の内容】
【０００７】
本発明は、印刷データの個別印刷を許可するユーザの印刷データの印刷状況を的確に管理し、無駄の少ない印刷データの印刷を行うことが可能な仕組みを提供することを目的とする。
【手続補正４】
【補正対象書類名】明細書
【補正対象項目名】０００８
【補正方法】変更
【補正の内容】
【０００８】
本発明は、印刷データと当該印刷データの個別印刷を許可するユーザの情報とを紐付けて管理する管理手段と、前記ユーザから個別印刷要求を受け付けると、前記管理手段で当該ユーザと紐付けて管理されている印刷データであって、前記ユーザから個別印刷要求を受け付けた印刷データの印刷ジョブを生成する生成手段と、前記生成手段により前記印刷ジョブを生成した後に、前記個別印刷要求を行ったユーザを、当該ユーザが個別印刷要求を行った印刷データの印刷済みユーザとして記憶する記憶手段と、印刷データの一括印刷要求を受け付けると、前記管理手段で管理されている当該一括印刷要求を受け付けた印刷データの個別印刷を許可するユーザの情報と、前記記憶手段に記憶されている当該一括印刷要求を受け付けた印刷データの印刷済みユーザの情報とに従って、一括印刷時の前記印刷データの印刷部数を決定する決定手段とを備え、前記生成手段は、一括印刷要求を受け付けた前記印刷データを、前記決定手段で決定した印刷部数分印刷するための印刷ジョブを生成することを特徴とする。
【手続補正５】
【補正対象書類名】明細書
【補正対象項目名】０００９
【補正方法】変更
【補正の内容】
【０００９】
また、本発明は、印刷データと当該印刷データの個別印刷を許可するユーザの情報とを紐付けて管理する管理手段を備える情報処理装置によって行われる情報処理方法であって、前記情報処理装置の生成手段が、前記ユーザから個別印刷要求を受け付けると、前記管理手段で当該ユーザと紐付けて管理されている印刷データであって、前記ユーザから個別印刷要求を受け付けた印刷データの印刷ジョブを生成する生成工程と、前記情報処理装置の記憶手段が、前記生成工程により前記印刷ジョブを生成した後に、前記個別印刷要求を行ったユーザを、当該ユーザが個別印刷要求を行った印刷データの印刷済みユーザとして記憶する記憶工程と、前記情報処理装置の決定手段が、印刷データの一括印刷要求を受け付けると、前記管理手段で管理されている当該一括印刷要求を受け付けた印刷データの個別印刷を許可するユーザの情報と、前記記憶工程で記憶されている当該一括印刷要求を受け付けた印刷データの印刷済みユーザの情報とに従って、一括印刷時の前記印刷データの印刷部数を決定する決定工程とを備え、前記生成工程は、一括印刷要求を受け付けた前記印刷データを、前記決定工程で決定した印刷部数分印刷するための印刷ジョブを生成することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明によれば、印刷データの個別印刷を許可するユーザの印刷データの印刷状況を的確に管理して、無駄の少ない印刷データの印刷処理を行うことが可能となる。